【手続補正書】
【提出日】平成17年3月15日(2005.3.15)
【手続補正１】
【補正対象書類名】明細書
【補正対象項目名】発明の名称
【補正方法】変更
【補正の内容】
【発明の名称】データ変換方法およびデータ変換装置、データ再生方法、データ復元方法、並びにプログラム
【手続補正２】
【補正対象書類名】明細書
【補正対象項目名】特許請求の範囲
【補正方法】変更
【補正の内容】
【特許請求の範囲】
【請求項１】
第１のデータ列を第２のデータ列に変換するデータ変換装置のデータ変換方法において、
前記第１のデータ列に含まれている第１のデータを第２のデータに置き換える第１の置き換えステップと、
前記第１のデータとは異なる領域に含まれている第３のデータを第４のデータに置き換える第２の置き換えステップと、
前記第１の置き換えステップの処理、および前記第２の置き換えステップの処理により生成されたデータを用いて、前記第２のデータ列を生成する第１の生成ステップと
を含み、
前記第２の置き換えステップの処理により前記第４のデータと置き換えられる前記第３のデータは、前記第２のデータ列が再生される場合に再生データとして利用されないデータ記録領域に記録されているデータであり、
前記第４のデータは、前記第２のデータ列を再生する場合に参照される制御情報である
ことを特徴とするデータ変換方法。
【請求項２】
前記第３のデータが記録されているデータ記録領域は、前記第１のデータが前記第２のデータに置き換えられることにより、前記第２のデータ列が再生される場合に再生データとして利用されなくなるデータ記録領域である
ことを特徴とする請求項１に記載のデータ変換方法。
【請求項３】
前記第１のデータ列および前記第２のデータ列は、それぞれ複数のフレームにより構成され、
前記第３のデータは、複数の前記フレームにそれぞれ記録され、
前記第２の置き換えステップの処理により前記第３のデータと置き換えられる前記第４のデータは、対応するフレームが再生可能か否かを示す制御情報である
ことを特徴とする請求項１に記載のデータ変換方法。
【請求項４】
前記第１の生成ステップの処理により生成された前記第２のデータ列を前記第１のデータ列に復元するために必要な前記第３のデータ列を生成する第２の生成ステップを更に含み、
前記第２の生成ステップの処理により生成される前記第３のデータ列は、前記第１の置き換えステップの処理により前記第２のデータに置き換えられた前記第１のデータと、前記第２の置き換えステップの処理により前記第４のデータに置き換えられた前記第３のデータとを含む
ことを特徴とする請求項１に記載のデータ変換方法。
【請求項５】
入力されたデータを周波数成分に変換する周波数成分変換ステップと、
前記周波数成分変換ステップの処理により周波数成分に変換された前記データを符号化する符号化ステップと
を更に含み、
前記第１の置き換えステップの処理では、前記符号化ステップの処理により符号化された符号化データを前記第１のデータ列として、前記第１のデータを前記第２のデータと置き換え、
前記第２の置き換えステップの処理により前記第４のデータに置き換えられる前記第３のデータは、前記周波数成分変換ステップの処理により変換された周波数成分のスペクトル係数情報を含む
ことを特徴とする請求項１に記載のデータ変換方法。
【請求項６】
第１のデータ列を第２のデータ列に変換するデータ変換装置において、
前記第１のデータ列に含まれている第１のデータを第２のデータに置き換える第１の置き換え手段と、
前記第１のデータとは異なる領域に含まれている第３のデータを第４のデータに置き換える第２の置き換え手段と、
前記第１の置き換え手段、および前記第２の置き換え手段により生成されたデータを用いて、前記第２のデータ列を生成する生成手段と
を備え、
前記第２の置き換え手段により前記第４のデータと置き換えられる前記第３のデータは、前記第２のデータ列が再生される場合に再生データとして利用されないデータ記録領域に記録されているデータであり、
前記第４のデータは、前記第２のデータ列を再生する場合に参照される制御情報である
ことを特徴とするデータ変換装置。
【請求項７】
第１のデータ列を第２のデータ列に変換するデータ変換装置を制御するコンピュータが実行可能なプログラムであって、
前記第１のデータ列に含まれている第１のデータを第２のデータに置き換える第１の置き換えステップと、
前記第１のデータとは異なる領域に含まれている第３のデータを第４のデータに置き換える第２の置き換えステップと、
前記第１の置き換えステップの処理、および前記第２の置き換えステップの処理により生成されたデータを用いて、前記第２のデータ列を生成する生成ステップと
を含み、
前記第２の置き換えステップの処理により前記第４のデータと置き換えられる前記第３のデータは、前記第２のデータ列が再生される場合に再生データとして利用されないデータ記録領域に記録されているデータであり、
前記第４のデータは、前記第２のデータ列を再生する場合に参照される制御情報である
ことを特徴とするプログラム。
【請求項８】
第１のデータ列を基に生成された第２のデータ列を再生するデータ再生装置のデータ再生方法において、
前記第２のデータ列に含まれる制御情報を基に、前記第２のデータ列の再生を制御する再生制御ステップを含み、
前記第１のデータ列および前記第２のデータ列は、複数のフレームで構成され、
前記第２のデータ列の複数の前記フレームには、前記再生制御ステップの処理により前記第２のデータ列の再生が制御される場合に参照される前記制御情報がそれぞれ含まれる
ことを特徴とするデータ再生方法。
【請求項９】
前記制御情報は、前記再生制御ステップの処理により前記第２のデータ列の再生が制御される場合に、対応するフレームが再生可能であるか否かを指定する情報である
ことを特徴とする請求項８に記載のデータ再生方法。
【請求項１０】
前記第２のデータ列は、前記第１のデータ列に含まれる第１のデータを第２のデータに置き換えることにより生成され、
前記再生制御ステップの処理により前記第２のデータ列の再生が制御された場合の再生品質は、前記第１のデータ列が再生された場合よりも劣る
ことを特徴とする請求項８に記載のデータ再生方法。
【請求項１１】
前記制御情報は、前記第１のデータ列に含まれる第１のデータが第２のデータに置き換えられたことにより、前記再生制御ステップの処理により前記第２のデータ列の再生が制御される場合に再生用のデータとして利用されなくなったデータ領域に記録される
ことを特徴とする請求項１０に記載のデータ再生方法。
【請求項１２】
前記制御情報には、前記第２のデータに置き換えられた前記第１のデータのうちの少なくとも一部が含まれている
ことを特徴とする請求項１０に記載のデータ再生方法。
【請求項１３】
前記制御情報には、前記再生制御ステップの処理により前記第２のデータ列の再生が制御される場合に、前記制御情報に含まれる前記第１のデータのうちの少なくとも一部を用いて、前記第２のデータを復元することが可能か否かを示す情報が更に含まれている
ことを特徴とする請求項１２に記載のデータ再生方法。
【請求項１４】
周波数成分を逆変換する逆変換ステップと、
前記逆変換ステップの処理により逆変換された前記第２のデータ列を復号する復号ステップと
を更に備え、
前記再生制御ステップの処理では、前記復号ステップの処理により復号された前記第２のデータ列の再生を制御し、
前記第１のデータ列は、周波数成分に変換されて符号化されたデータ列であり、
前記第１のデータは、スペクトル係数情報を含む
ことを特徴とする請求項８に記載のデータ再生方法。
【請求項１５】
前記第１のデータは、所定の数値を示すデータであり、
前記第２のデータは、前記第１のデータの数値を最小化したものである
ことを特徴とする請求項８に記載のデータ再生方法。
【請求項１６】
第１のデータ列を基に生成された第２のデータ列を再生するデータ再生装置を制御するコンピュータが実行可能なプログラムであって、
前記第２のデータ列に含まれる制御情報を基に、前記第２のデータ列の再生を制御する再生制御ステップを含み、
前記第１のデータ列および前記第２のデータ列は、複数のフレームで構成され、
前記第２のデータ列の複数の前記フレームには、前記再生制御ステップの処理により前記第２のデータ列の再生が制御される場合に参照される前記制御情報がそれぞれ含まれる
ことを特徴とするプログラム。
【請求項１７】
第１のデータ列を第２のデータ列に復元するデータ復元装置のデータ復元方法において、
前記第１のデータ列を前記第２のデータ列に復元するために必要な情報を含む第３のデータ列の取得を制御する取得制御ステップと、
前記取得制御ステップの処理により取得が制御された前記第３のデータ列を基に、前記第２のデータ列を復元する復元ステップと
を含み、
前記第３のデータ列は、前記第２のデータ列を復元するための第１のデータを含み、
前記復元ステップの処理では、前記取得制御ステップの処理により取得が制御された前記第３のデータ列に含まれている前記第１のデータを、第１のデータ列に含まれている第２のデータと置き換えることにより、前記第２のデータ列を復元し、
前記第２のデータの一部は、前記第１のデータ列を再生させる場合に参照される制御情報である
ことを特徴とするデータ復元方法。
【手続補正３】
【補正対象書類名】明細書
【補正対象項目名】００４６
【補正方法】削除
【補正の内容】
【手続補正４】
【補正対象書類名】明細書
【補正対象項目名】００４７
【補正方法】削除
【補正の内容】
【手続補正５】
【補正対象書類名】明細書
【補正対象項目名】００４８
【補正方法】削除
【補正の内容】
【手続補正６】
【補正対象書類名】明細書
【補正対象項目名】００４９
【補正方法】削除
【補正の内容】
【手続補正７】
【補正対象書類名】明細書
【補正対象項目名】００５０
【補正方法】削除
【補正の内容】
【手続補正８】
【補正対象書類名】明細書
【補正対象項目名】００５１
【補正方法】削除
【補正の内容】
【手続補正９】
【補正対象書類名】明細書
【補正対象項目名】００５２
【補正方法】削除
【補正の内容】
【手続補正１０】
【補正対象書類名】明細書
【補正対象項目名】００５３
【補正方法】削除
【補正の内容】
【手続補正１１】
【補正対象書類名】明細書
【補正対象項目名】００５５
【補正方法】削除
【補正の内容】
【手続補正１２】
【補正対象書類名】明細書
【補正対象項目名】００５６
【補正方法】削除
【補正の内容】
【手続補正１３】
【補正対象書類名】明細書
【補正対象項目名】００５７
【補正方法】削除
【補正の内容】
【手続補正１４】
【補正対象書類名】明細書
【補正対象項目名】００５８
【補正方法】削除
【補正の内容】
【手続補正１５】
【補正対象書類名】明細書
【補正対象項目名】００５９
【補正方法】削除
【補正の内容】
【手続補正１６】
【補正対象書類名】明細書
【補正対象項目名】００６１
【補正方法】削除
【補正の内容】
【手続補正１７】
【補正対象書類名】明細書
【補正対象項目名】００６９
【補正方法】削除
【補正の内容】
【手続補正１８】
【補正対象書類名】明細書
【補正対象項目名】００７０
【補正方法】削除
【補正の内容】
【手続補正１９】
【補正対象書類名】明細書
【補正対象項目名】００７１
【補正方法】削除
【補正の内容】
【手続補正２０】
【補正対象書類名】明細書
【補正対象項目名】００７２
【補正方法】削除
【補正の内容】
【手続補正２１】
【補正対象書類名】明細書
【補正対象項目名】００７３
【補正方法】削除
【補正の内容】
【手続補正２２】
【補正対象書類名】明細書
【補正対象項目名】００７６
【補正方法】削除
【補正の内容】
【手続補正２３】
【補正対象書類名】明細書
【補正対象項目名】００７７
【補正方法】削除
【補正の内容】
【手続補正２４】
【補正対象書類名】明細書
【補正対象項目名】００７８
【補正方法】削除
【補正の内容】
【手続補正２５】
【補正対象書類名】明細書
【補正対象項目名】００７９
【補正方法】削除
【補正の内容】
【手続補正２６】
【補正対象書類名】明細書
【補正対象項目名】００８２
【補正方法】削除
【補正の内容】
【手続補正２７】
【補正対象書類名】明細書
【補正対象項目名】００８３
【補正方法】削除
【補正の内容】
【手続補正２８】
【補正対象書類名】明細書
【補正対象項目名】００８４
【補正方法】削除
【補正の内容】
【手続補正２９】
【補正対象書類名】明細書
【補正対象項目名】００８５
【補正方法】削除
【補正の内容】
【手続補正３０】
【補正対象書類名】明細書
【補正対象項目名】００８６
【補正方法】削除
【補正の内容】
【手続補正３１】
【補正対象書類名】明細書
【補正対象項目名】００８７
【補正方法】削除
【補正の内容】
【手続補正３２】
【補正対象書類名】明細書
【補正対象項目名】００８８
【補正方法】削除
【補正の内容】
【手続補正３３】
【補正対象書類名】明細書
【補正対象項目名】００８９
【補正方法】削除
【補正の内容】
【手続補正３４】
【補正対象書類名】明細書
【補正対象項目名】００９０
【補正方法】削除
【補正の内容】
【手続補正３５】
【補正対象書類名】明細書
【補正対象項目名】００９１
【補正方法】削除
【補正の内容】
【手続補正３６】
【補正対象書類名】明細書
【補正対象項目名】００９２
【補正方法】削除
【補正の内容】
【手続補正３７】
【補正対象書類名】明細書
【補正対象項目名】００９３
【補正方法】削除
【補正の内容】
【手続補正３８】
【補正対象書類名】明細書
【補正対象項目名】００９４
【補正方法】削除
【補正の内容】
【手続補正３９】
【補正対象書類名】明細書
【補正対象項目名】００９５
【補正方法】削除
【補正の内容】
【手続補正４０】
【補正対象書類名】明細書
【補正対象項目名】００９６
【補正方法】削除
【補正の内容】
【手続補正４１】
【補正対象書類名】明細書
【補正対象項目名】００９７
【補正方法】削除
【補正の内容】
【手続補正４２】
【補正対象書類名】明細書
【補正対象項目名】００９８
【補正方法】削除
【補正の内容】
【手続補正４３】
【補正対象書類名】明細書
【補正対象項目名】００９９
【補正方法】削除
【補正の内容】
【手続補正４４】
【補正対象書類名】明細書
【補正対象項目名】０１００
【補正方法】削除
【補正の内容】
【手続補正４５】
【補正対象書類名】明細書
【補正対象項目名】０１０２
【補正方法】変更
【補正の内容】
【０１０２】
本発明のデータ再生方法および第２のプログラムにおいては、第２のデータ列に含まれる制御情報を基に、第２のデータ列が再生され、第１のデータ列および第２のデータ列は、複数のフレームで構成され、第２のデータ列の複数のフレームには、第２のデータ列が再生される場合に参照される制御情報がそれぞれ含まれる。
【手続補正４６】
【補正対象書類名】明細書
【補正対象項目名】０１０３
【補正方法】変更
【補正の内容】
【０１０３】
本発明のデータ復元方法においては、第１のデータ列を第２のデータ列に復元するために必要な情報を含む第３のデータ列が取得され、第３のデータ列を基に、第２のデータ列が復元され、第３のデータ列は、第２のデータ列を復元するための第１のデータを含み、第３のデータ列に含まれている第１のデータを、第１のデータ列に含まれている第２のデータと置き換えることにより、第２のデータ列が復元され、第２のデータの一部は、第１のデータ列を再生させる場合に参照される制御情報である。
【手続補正４７】
【補正対象書類名】明細書
【補正対象項目名】０１０４
【補正方法】削除
【補正の内容】